(57)【要約】【課題】ボウル部に紫外線を照射するに際し、ボウル部の内表面の全面に対してどの位置においても、略同程度の接近した距離から紫外線を照射することができ、高い洗浄効果を得ることができるトイレ装置およびこのトイレ装置を用いておこなわれるトイレ装置の洗浄方法を提供する。【解決手段】トイレ装置本体と、前記トイレ装置本体に取り付けられ、ボウル部を有する便器と、前記ボウル部の内表面に紫外線を照射する紫外線光源と、を少なくとも有するトイレ装置であって、前記トイレ装置は、前記ボウル部の内表面に対して前記紫外線光源を接近あるいは離反させるとともに、前記ボウル部の内表面に沿って前記紫外線光源を移動させる移動手段を有する。【選択図】図１
2018009439.tif 000002
【特許請求の範囲】
【請求項１】
トイレ装置本体と、
前記トイレ装置本体に取り付けられ、ボウル部を有する便器と、
前記ボウル部の内表面に紫外線を照射する紫外線光源と、
を少なくとも有するトイレ装置であって、
前記トイレ装置は、
前記ボウル部の内表面に対して前記紫外線光源を接近あるいは離反させるとともに、前記ボウル部の内表面に沿って前記紫外線光源を移動させる移動手段を有することを特徴とするトイレ装置。
【請求項２】
前記移動手段は、
ガイドレールを介して前記紫外線光源を移動させるよう構成されていることを特徴とする請求項１に記載のトイレ装置。
【請求項３】
前記ガイドレールが、前記便器に対して開閉可能に設けられた便蓋の裏面に設けられていることを特徴とする請求項２に記載のトイレ装置。
【請求項４】
前記紫外線光源が、前記便蓋の裏面に設けられた収納部内に収納されるよう構成されていることを特徴とする請求項３に記載のトイレ装置。
【請求項５】
前記便蓋の開閉状態を検知する検知センサーを備え、
前記便蓋が閉状態の際に、前記紫外線光源および移動手段が起動するよう構成されていることを特徴とする請求項３または４に記載のトイレ装置。
【請求項６】
前記ガイドレールが、前記ボウル部のリムの裏面に設けられていることを特徴とする請求項２に記載のトイレ装置。
【請求項７】
前記紫外線光源が、前記トイレ装置本体に設けられた収納部内に収納されるよう構成されていることを特徴とする請求項６に記載のトイレ装置。
【請求項８】
前記ガイドレールの配設形状が、円形状、楕円形状、螺旋形状、Ｕ字形状、コ字形状、矩形状のいずれかであることを特徴とする請求項２〜７のいずれか一項に記載のトイレ装置。
【請求項９】
前記移動手段を介して前記ボウル部の内表面に対して前記紫外線光源を接近させた際、
前記ボウル部の内表面と前記紫外線光源との距離が、０．５〜１５．０ｃｍの範囲内であることを特徴とする請求項１〜８のいずれか一項に記載のトイレ装置。
【請求項１０】
前記紫外線光源が、
略長方形の紫外線出射面を有し、複数の紫外線発光ダイオードを有する発光ダイオードモジュールであることを特徴とする請求項１〜９のいずれか一項に記載のトイレ装置。
【請求項１１】
トイレ装置本体と、前記トイレ装置本体に取り付けられ、ボウル部を有する便器と、前記ボウル部の内表面に紫外線を照射する紫外線光源と、前記ボウル部の内表面に対して前記紫外線光源を接近あるいは離反させるとともに、前記ボウル部の内表面に沿って前記紫外線光源を移動させる移動手段と、を少なくとも有するトイレ装置の洗浄方法であって、
前記移動手段を介して、前記ボウル部の内表面に対して前記紫外線光源を接近させる工程と、
前記接近させた紫外線光源を、前記ボウル部の内表面に沿って移動させながら紫外線を前記ボウル部の内表面に照射する工程と、
を少なくとも有することを特徴とするトイレ装置の洗浄方法。
【発明の詳細な説明】
【技術分野】
【０００１】
本発明は、トイレ装置およびこのトイレ装置を用いておこなわれるトイレ装置の洗浄方法に関する。
【背景技術】
【０００２】
トイレ装置の便器を清潔に保つために、トイレ装置に、冷陰極管や発光ダイオード（ＬＥＤ）等の紫外線を照射する紫外線光源を付設し、紫外線の照射中に、あるいは紫外線の照射が終了してから所定時間内に、便器のボウル部へ次亜塩素酸水などの機能水を噴霧するもの（特許文献１参照）が知られている。
【０００３】
この特許文献１に記載されたトイレ装置では、ボウル部の内表面に光触媒層を形成しておき、この光触媒層に紫外線を照射することによって、周囲の水や酸素などにより活性酸素を発生させ、ボウル部の内表面を親水化して、機能水がボウル部の内表面に濡れ広がるようにしている。
このトイレ装置によれば、紫外線光源の発熱によって生じる空気の流れを利用して、噴霧手段から噴霧された機能水を、例えば便器後部のリムの裏面にまで行き渡らせ、便器のボウル部の略全面を清潔に維持することができるとされている。
【０００４】
また特許文献２には、便器のボウル部の溜水部や温水洗浄便座の局部洗浄ノズルの噴射孔に対し、紫外線発光ダイオード（ＵＶ−ＬＥＤ）などの殺菌灯から紫外線を照射し、噴射孔の殺菌を行うようにしたトイレ装置が開示されている。
【０００５】
さらに特許文献３には、樹脂製便器のボウル部の内表面に紫外光を照射して殺菌するようにした殺菌装置が開示されている。
この殺菌装置は、紫外光を発光する殺菌部と、この殺菌部に接続され、殺菌部を任意の位置に移動可能な駆動部と、殺菌部の発光部からボウル部の内表面までの距離情報を用いて発光部の発光を制御する発光制御部と、を備えている。
【先行技術文献】
【特許文献】
【０００６】
【特許文献１】特開２０１４−１６３１６２号公報
【特許文献２】特開２００１−６５０３５号公報
【特許文献３】特開２０１５−２７３２６号公報
【特許文献４】特開２０１６−２０４６１号公報
【特許文献５】特開２０１６−２０４６２号公報
【特許文献６】特許第５５９１３０５号公報
【発明の概要】
【発明が解決しようとする課題】
【０００７】
ところで特許文献１に開示された紫外線光源は、便蓋の内部に設けられ、紫外線光源からボウル部の内表面までの距離が遠く、紫外光の拡散による照射強度の低下や不均一化が避けられないものである。
また、特許文献２に開示されたトイレ装置は、紫外線をスポット的に照射するものであるため、殺菌される場所が限定的である。
【０００８】
さらに、特許文献３に開示された殺菌装置は、照射範囲の広いキセノン管を用い、殺菌部の発光部から遠いボウル部の内表面に紫外線を照射する際には、光量を上げることになるため、殺菌部の最大出力はこれに合わせて高める必要があり、殺菌装置が大型化するとともに消費電力が高まってしまうものである。
さらに、殺菌部の発光部から遠いボウル部の内表面に対してピンポイントで紫外線を照射することは困難であり、ボウル部の内表面の位置の違いにより、殺菌効果にムラが生ずるおそれがある。
【０００９】
本発明はこのような実状に鑑み、ボウル部に紫外線を照射するに際し、ボウル部の内表面の全面に対してどの位置においても、略同程度の接近した距離から紫外線を照射することができ、高い洗浄効果を得ることができるトイレ装置およびこのトイレ装置を用いておこなわれるトイレ装置の洗浄方法を提供することを目的とする。
【課題を解決するための手段】
【００１０】
本発明者は、いわゆるスキャンニング照射の概念を適用し、紫外線光源と紫外線の被照射面であるボウル部の内表面との間の距離を極めて短く保ちながら、紫外線光源から照射される紫外線が、ボウル部の内表面の全面を塗りつぶすように紫外線光源を移動させることができれば、紫外線光源とボウル部の内表面との間の距離の増大に伴う拡散による紫外線強度の低下を防ぎながら、確実に紫外線を照射することができ、高い洗浄効果を得ることができると考え、本発明を完成するに至った。
【００１１】
すなわち、本発明のトイレ装置は、
トイレ装置本体と、
前記トイレ装置本体に取り付けられ、ボウル部を有する便器と、
前記ボウル部の内表面に紫外線を照射する紫外線光源と、
前記便器に対して開閉可能な便蓋と、
を少なくとも有するトイレ装置であって、
前記トイレ装置は、
前記ボウル部の内表面に対して前記紫外線光源を接近あるいは離反させるとともに、前記ボウル部の内表面に沿って前記紫外線光源を移動させる移動手段を有することを特徴とする。
このような移動手段を有していれば、紫外線光源とボウル部の内表面との間の距離の増大に伴う拡散による紫外線強度の低下を防止することができ、確実にボウル部の内表面の全面に紫外線を照射することができ、高い洗浄効果を得ることができる。
【００１２】
また、本発明のトイレ装置は、
前記移動手段は、
ガイドレールを介して前記紫外線光源を移動させるよう構成されていることを特徴とする。
このようにガイドレールを介して紫外線光源が移動できるようになっていれば、確実にボウル部の内表面の全面に紫外線を照射することができる。
【００１３】
また、本発明のトイレ装置は、
前記ガイドレールが、前記便器に対して開閉可能に設けられた便蓋の裏面に設けられていることを特徴とする。
このようにガイドレールが便蓋の裏面に設けられていれば、ボウル部とは別体として紫外線光源および移動手段を構成することができ、メンテナンス性が良好である。
【００１４】
また、本発明のトイレ装置は、
前記紫外線光源が、前記便蓋の裏面に設けられた収納部内に収納されるよう構成されていることを特徴とする。
このように収納部内に紫外線光源が収納されていれば、便蓋を開いてトイレ装置を利用する際に、紫外線光源を目視せずにすみ、万が一、紫外線光源が便蓋を開けた際に起動してしまったとしても、紫外線光源から照射された紫外線を、直視してしまうことを防止することができる。
【００１５】
また、本発明のトイレ装置は、
前記便蓋の開閉状態を検知する検知センサーを備え、
前記便蓋が閉状態の際に、前記紫外線光源および移動手段が起動するよう構成されていることを特徴とする。
このような検知センサーを備えていれば、便蓋が開状態の際に、誤って紫外線光源および移動手段が起動してしまうことを確実に防止することができ、さらに便蓋が閉状態の際に、自動的に紫外線光源および移動手段を起動して、ボウル部の内表面の洗浄および殺菌を行うように設定することができる。
【００１６】
また、本発明のトイレ装置は、
前記ガイドレールが、前記ボウル部のリムの裏面に設けられていることを特徴とする。
このようにボウル部のリムの裏面に設けられていれば、例えば温水洗浄便座の交換が必要となった際にも、便蓋毎交換することができる。
さらに、ボウル部のリムの裏面は、通常視認し難いため、トイレ装置の美観を損ねることがなく、美しい外観を保つことができる。
【００１７】
また、本発明のトイレ装置は、
前記紫外線光源が、前記トイレ装置本体に設けられた収納部内に収納されるよう構成されていることを特徴とする。
このようにトイレ装置本体に設けられた収納部内に紫外線光源が収納されていれば、トイレ装置を利用する際に、紫外線光源を目視せずにすみ、万が一、紫外線光源が便蓋を開けた際に起動してしまったとしても、紫外線光源から照射された紫外線を、直視してしまうことを防止することができる。
【００１８】
また、本発明のトイレ装置は、
前記ガイドレールの配設形状が、円形状、楕円形状、螺旋形状、Ｕ字形状、コ字形状、矩形状のいずれかであることを特徴とする。
ガイドレールがこのような配設形状であれば、確実にボウル部の内表面の全面に紫外線を照射することができる。
【００１９】
また、本発明のトイレ装置は、
前記紫外線光源より照射される紫外線の波長が、４００ｎｍ以下であることを特徴とする。
このように波長が４００ｎｍ以下の紫外線であれば、後述する光触媒活性化効果および殺菌効果をより高めることができる。
【００２０】
また、本発明のトイレ装置は、
前記紫外線光源より照射される紫外線の波長が、異なる少なくとも２種類のピーク波長であることを特徴とする。
このように少なくとも２種類のピーク波長の紫外線であれば、通常の殺菌効果とともに、これとは別の殺菌メカニズムであるＤＮＡを損傷させるというメカニズムでの殺菌効果を得ることができ、トイレ装置を介した感染症の予防効果をより高めることができる。
【００２１】
また、本発明のトイレ装置は、
前記移動手段を介して前記ボウル部の内表面に対して前記紫外線光源を接近させた際、
前記ボウル部の内表面と前記紫外線光源との距離が、０．５〜１５．０ｃｍの範囲内であることを特徴とする。
このような距離の範囲内であれば、確実に紫外線光源より照射される紫外線による、ボウル部の内表面の洗浄および殺菌の効果を得ることができる。
【００２２】
また、本発明のトイレ装置は、
前記紫外線光源が、
略長方形の紫外線出射面を有し、複数の紫外線発光ダイオードを有する発光ダイオードモジュールであることを特徴とする。
このような発光ダイオードモジュールであれば、小型化，省電力化，長寿命化，水銀の不使用，瞬時の点灯・消灯などが可能であり、紫外線光源として好適である。
【００２３】
また、本発明のトイレ装置は、
前記紫外線光源が、
円筒状の基体の側面上に複数の紫外線発光ダイオードを有する棒状光源モジュールであることを特徴とする。
このような棒状光源モジュールであっても、小型化，省電力化，長寿命化，水銀の不使用，瞬時の点灯・消灯などが可能であり、紫外線光源として好適である。
【００２４】
また、本発明のトイレ装置は、
前記ボウル部の内表面に、親水化処理が施されていることを特徴とする。
このように親水下処理が施されていれば、ボウル部の内表面に汚れが付き難く、また汚れが付着した際にも汚れを洗い流し易くすることができる。
【００２５】
また、本発明のトイレ装置は、
前記ボウル部の内表面に、水の共存下における紫外線照射によって分解してＯＨラジカル（ヒドロキシルラジカル）を生成する非イオン性物質またはイオンが溶解した水溶液からなるＯＨラジカル源水溶液を供給して付着させるＯＨラジカル源水溶液供給手段を有することを特徴とする。
このようにＯＨラジカル源水溶液供給手段を有していれば、単に水を流す場合と比べて、より確実にボウル部の内表面の汚れを洗い流すことができる。
【００２６】
また、本発明のトイレ装置は、
前記ＯＨラジカル源水溶液が、
硝酸イオン、亜硝酸イオンおよび過酸化水素から選ばれる少なくとも１種が溶解した水溶液からなることを特徴とする。
このようなＯＨラジカル源水溶液であれば、確実にボウル部の内表面の汚れを洗い流すことができる。
【００２７】
また、本発明のトイレ装置の洗浄方法は、
トイレ装置本体と、前記トイレ装置本体に取り付けられ、ボウル部を有する便器と、前記ボウル部の内表面に紫外線を照射する紫外線光源と、前記ボウル部の内表面に対して前記紫外線光源を接近あるいは離反させるとともに、前記ボウル部の内表面に沿って前記紫外線光源を移動させる移動手段と、を少なくとも有するトイレ装置の洗浄方法であって、
前記移動手段を介して、前記ボウル部の内表面に対して前記紫外線光源を接近させる工程と、
前記接近させた紫外線光源を、前記ボウル部の内表面に沿って移動させながら紫外線を前記ボウル部の内表面に照射する工程と、
を少なくとも有することを特徴とする。
このような工程を経たトイレ装置の洗浄方法であれば、ボウル部の内表面の全面に対してどの位置においても、略同程度の距離から紫外線を照射することができ、安全且つ確実にボウル部の内表面を洗浄することができる。
【００２８】
また、本発明のトイレ装置の洗浄方法は、
前記ボウル部の内表面に対して前記紫外線光源を接近させる工程の前に、
ＯＨラジカル源水溶液供給手段を介して、水の共存下における紫外線照射によって分解してＯＨラジカルを生成する非イオン性物質またはイオンが溶解した水溶液からなるＯＨラジカル源水溶液を、前記ボウル部の内表面に供給して付着させる工程と、
を有することを特徴とする。
【００２９】
このようなＯＨラジカル源水溶液をボウル部の内表面に供給して付着させる工程を有していれば、水洗式トイレ装置本来の洗浄機能、すなわち、いわゆるリム吐水およびジェット吐水等の水勢により排泄物や汚物を下水や浄化槽に流して洗浄するという機能のみでは浄化しきれない頑固な有機汚れやカビ等の繁殖による黒ずみなどを、確実にボウル部の内表面から洗い流すことができる。
【発明の効果】
【００３０】
本発明のトイレ装置およびトイレ装置の洗浄方法によれば、紫外線光源からボウル部の内表面までの距離の増大に伴う拡散による紫外線強度の低下を防ぎながら、確実にボウル部の内表面に紫外線を照射することができ、高い洗浄効果を得ることができる。
その結果、例えば特許文献１に記載されたような、ボウル部の内表面が光触媒で構成されたトイレ装置においては、光触媒による分解作用，親水作用および抗菌作用を、より確実に得ることができる。
【００３１】
また、特許文献２あるいは特許文献３に記載されたような、紫外線の照射により殺菌を行うトイレ装置においては、ボウル部の内表面の紫外線による殺菌を、より効果的且つ確実に行うことができる。
【００３２】
さらに、発光ダイオード（ＬＥＤ）のような照射範囲が狭く、出力も小さい紫外線光源を用いた場合にも、このような効果を確実に得ることが可能となる。本発明のトイレ装置においては、ガイドレールを介して紫外線光源が移動可能であるため、一部分だけを照射する小さな紫外線光源であっても、紫外線光源の移動により、ボウル部の内表面の全面を照射することができるので、トイレ装置のコンパクト化も可能である。
【００３３】
また、紫外線光源を使用しない時には、便蓋の裏面やトイレ装置本体に設けた収納部に紫外線光源を収納することで、トイレ装置全体をコンパクトにできるばかりでなくデザイン性（美観）を損なうこともなく、さらに紫外線光源が汚れることを防止することもできる。
【００３４】
さらに、移動手段を用いることにより、ボウル部の内表面と紫外線光源との距離を可及的に近くして紫外線の照射を行うことができる。これにより、紫外線を拡散させずに出力された強度を保ったままボウル部の内表面に照射することが可能となり、高い洗浄効果を得ることができる。
【００３５】
また、本発明のトイレ装置によれば、ボウル部の内表面へのＯＨラジカル源水溶液の噴霧と、ボウル部の内表面への紫外線（ＵＶ）照射と、を組み合わせた洗浄を行うことにより、光触媒作用を利用しなくても、ＯＨラジカルの強い酸化力により便器のボウル部に付着した汚物やカビ等の有機汚れを分解除去することができる。
このとき、ＯＨラジカル源水溶液と紫外線（ＵＶ）照射とを組み合わせた洗浄を、トイレ装置を使用しない時（例えば便蓋が閉状態の時）に自動で行わせることにより、トイレ装置を常に清潔な状態に保つことができ、トイレ掃除の手間を大幅に削減することができる。
【００３６】
また、紫外線の照射時に、洗浄・殺菌に適した波長の紫外線と、この紫外線とは波長の異なる別の紫外線（いわゆる殺菌線（波長２６０ｎｍ程度の紫外線））と、を合わせて照射することにより、ＯＨラジカルを利用した殺菌メカニズムとは別のＤＮＡを損傷させるというメカニズムでの殺菌効果を得ることもでき、トイレ装置を介した感染症の予防効果をより高めることもできる。
【図面の簡単な説明】
【００３７】
【図１】図１は、本発明の実施形態におけるトイレ装置の概略図である。
【図２】図２は、本発明のトイレ装置における移動手段の実施形態を説明するための概略図である。
【図３】図３は、本発明のトイレ装置における移動手段の別の実施形態を説明するための概略図である。
【図４】図４は、本発明のトイレ装置における噴霧ノズル付き紫外線光源の概略図である。
【図５】図５は、本発明のトイレ装置における紫外線光源の別の実施形態を説明するための概略図である。
【図６】図６は、図５に示した紫外線光源を備えたトイレ装置の概略図である。
【図７】図７は、本発明の別の実施形態におけるトイレ装置の概略図である。
【発明を実施するための形態】
【００３８】
以下、本発明の実施形態を図面に基づいてより詳細に説明する。
本発明は、トイレ装置およびこのトイレ装置を用いておこなわれるトイレ装置の洗浄方法に関するものである。
図１に示したように、本発明の実施形態によるトイレ装置１００Ｂは、まずトイレ装置本体１０と、このトイレ装置本体１０に取り付けられ、ボウル部２０を有する便器３０と、ボウル部２０の内表面に紫外線を照射する紫外線光源６０と、便器３０に対して開閉可能な便蓋４０と、有するものである。
そして、このようなトイレ装置１００Ｂは、ボウル部２０の内表面に対して紫外線光源６０を接近あるいは離反させるとともに、ボウル部２０の内表面に沿って紫外線光源６０を移動させる移動手段８０を有している。
【００３９】
このように、本発明のトイレ装置１００Ｂは、従来の一般的な水洗式のトイレ装置（例えば特許文献１に開示されたトイレ装置）と同様な基本構造および仕組みを有した上で、さらに上記したような移動手段８０を有する点で、特に特徴的な構成となっている。以下、本発明のトイレ装置１００Ｂについて、従来のトイレ装置と異なる点を中心に説明する。
【００４０】
まず本発明のトイレ装置１００Ｂにおける紫外線光源６０としては、水銀ランプ、エキシマランプなどの紫外線（ＵＶ）ランプ（以下、ＵＶランプとも称する）、紫外線発光ダイオード（以下、ＵＶ−ＬＥＤとも称する）などを使用することができる。
【００４１】
これらの紫外線光源６０の中で、小型化，省電力化，長寿命化，水銀を使用しない，瞬時の点灯・消灯が可能である、といった理由からＵＶ−ＬＥＤを使用することが好ましい。
ＵＶ−ＬＥＤを用いる場合には、複数のＵＶ−ＬＥＤ７１，７１’を用い、基板７２，７２’上において略長方形の紫外線出射面７３，７３’を有し、内部に夫々複数のＵＶ−ＬＥＤ７１，７１’を収容する２つ筺体ユニット７４，７４’が、ヒンジなどの連結部材７５で連結されるようにした発光ダイオードモジュール（以下、ＬＥＤモジュールとも称する）７０とすれば良い。
【００４２】
本明細書中でＬＥＤモジュール７０とは、機械的、電気的制御回路もしくはその一部、および光学的に多数の要素で構成して、一つのユニットとして取り扱えるようにしたもの、またはその集合体を意味するものである。
このように構成すれば、移動手段８０を用いた場合に、トイレ装置１００Ｂをよりコンパクトにすることができ好ましい。
【００４３】
また、ＵＶランプを用いる場合には、ＵＶランプの放電管自体を紫外線の出射部として放射状に光を出射させても良いし、反射板等と組み合わせてランプハウスに収容し、紫外線の出射方向を制御してランプハウスの紫外線の出射部から紫外線を出射させても良い。
ここで紫外線とは、４００ｎｍ以下の波長を有する光を意味し、光触媒活性化の観点からは、２００ｎｍ以上３９０ｎｍ以下の波長を有する紫外線を用いることが好ましい。
一方、紫外線殺菌の観点からは、２５０ｎｍ以上３００ｎｍ以下の波長を有する紫外線を用いることが好ましい。
【００４４】
したがって、上記した光触媒活性化の効果および紫外線殺菌の効果を同時に得るため、２５０ｎｍ以上３００ｎｍ以下の波長領域にピーク波長を有する紫外線を出射するＵＶ−ＬＥＤと、３００ｎｍ以上４００ｎｍ以下の波長領域にピーク波長を有する紫外線を出射するＵＶ−ＬＥＤとを、併用することが好ましい。
【００４５】
このようなＬＥＤモジュール７０は、高強度の紫外線照射が可能であり、各筺体ユニット７４，７４’の紫外線出射面７３，７３’からの指向角（半値角）が４０°以下０°以上が好ましく、３０°以下０°以上である帯状の光束として紫外線を出射することがさらに好ましい。
【００４６】
上述したように、本発明のトイレ装置１００Ｂは、コンパクト化を可能とし、さらに紫外線の照射効果をより確実なものとするために、紫外線光源６０を移動させるための移動手段８０を有する。
【００４７】
移動手段８０としては、紫外線光源６０を、その紫外線出射面７３，７３’がボウル部２０の内表面に対して対向した状態を維持しながらボウル部２０の周縁に沿って移動するようになっていれば特に限定されないが、例えば配設形状が、円形状、楕円形状、螺旋形状、Ｕ字形状、コ字形状、矩形状とされたガイドレールを介して移動するように構成されていることが好ましい。
【００４８】
中でもガイドレールが周環状である円形状や楕円形状の場合には、紫外線光源６０を１周または複数周周回させることで、ボウル部２０の内表面において、より高い洗浄効果を得ることができる。
具体的には、図２に示したように、便蓋４０の裏面４１に設けられたガイドレール８１を介して、紫外線光源６０を移動させるよう構成されていることが好ましい。
【００４９】
紫外線光源６０を移動させ、ガイドレール８１上をスライド移動させるための動力および軌道制御システムの例としては、電動モーター、スプロケットおよびチェインを組み合わせた電動アクチュエーター、ならびに油圧あるいは空気圧シリンダー等を用いた油圧または空圧アクチュエーターなどが挙げられ、特に制限されるものではない。
【００５０】
また移動手段８０は、便器３０に対して開閉可能な便蓋４０が開の状態において、便蓋４０の裏面に設けられた「非使用時保持位置」に保持されている紫外線光源６０を、便蓋４０が閉の状態において、
（１）紫外線光源６０がボウル部２０の予め定められた位置の内表面に対向するように移動する第一の移動と、
（２）紫外線光源６０を、第一の移動によって移動された位置から、紫外線光源６０がボウル部２０の内表面に対して対向した状態を維持しながら、ボウル部２０の周縁に沿って、紫外線光源６０を移動させ、再び第一の移動によって移動された位置に戻す第二の移動と、
（３）紫外線光源６０を、第二の移動によって戻された位置から、便蓋４０の裏面の「非使用時保持位置」に戻す第三の移動と、
を、この順番で行わせることが好ましい。
【００５１】
この時、第一の移動によって、紫外線光源６０が配置される位置（以下、「待機位置」とも称する）は、紫外線光源６０が、ボウル部２０の任意に予め定めた位置の内表面に対向する位置である。
【００５２】
たとえば紫外線光源６０が平面状あるいはボウル部２０の内表面と同様の緩やかな曲面状の紫外線出射面７３，７３’を有する場合には、紫外線光源６０（紫外線出射面７３，７３’）とボウル部２０の内表面との距離が、０．５〜５．０ｃｍの範囲内、好ましくは１．０〜３．０ｃｍの範囲内で、ボウル部２０の内表面に対して紫外線光源６０（紫外線出射面７３，７３’）が、平行もしくは略平行となるように対向するような位置である。
また第二の移動において、紫外線光源６０（紫外線出射面７３，７３’）と、これと対向するボウル部２０の内表面との距離は、常に０．５〜１５．０ｃｍの範囲内、好ましくは０．５〜１０．０ｃｍの範囲内、最も好ましくは０．５〜５．０ｃｍの範囲内となるようにすることが好ましい。
【００５３】
図１および図２に示したトイレ装置１００Ｂでは、さらにボウル部２０の内表面に、水の共存下における紫外線照射によって分解してＯＨラジカルを生成する非イオン性物質またはイオンが溶解した水溶液からなるＯＨラジカル源水溶液を供給して付着させるＯＨラジカル源水溶液供給手段５０を有している。なお、図中の符号５１は噴霧ノズルである。
また、図１においてＯＨラジカル源水溶液供給手段５０は、便器３０に設けられているが、トイレ装置本体１０や、一般的なトイレ装置に普及している、いわゆる温水洗浄便座の「局部洗浄ノズル」に取り付けられていても良いものである。
【００５４】
上記ＯＨラジカル源水溶液は、オゾンを実質的に含まない水溶液であることが好ましい一態様である。ここで、ＯＨラジカル源水溶液における「オゾンを実質的に含まない」とは、オゾンを積極的に添加しないことを意味し、不純物としての不可避的な混入は許容する。不純物として不可避的に混入するこれら成分の濃度は低ければ低いほど良いが、通常、質量基準で１ｐｐｍ以下、好ましくは０．１ｐｐｍ以下、最も好ましくは０．０１ｐｐｍ以下である。
【００５５】
また、「水の共存下における紫外線照射によって分解してＯＨラジカルを生成する非イオン性物質またはイオン」としては、オゾン以外であって、このような機能が知られている非イオン性物質またはイオンが特に限定されず使用できる。ここで、「ＯＨラジカルを生成する非イオン性物質」とは、その物質を水に溶解した際に、ＯＨラジカルを生成するイオンとはならないＯＨラジカルを生成する物質全般を意味する。
【００５６】
これら非イオン性物質またはイオンとしては、硝酸イオン、亜硝酸イオン、ウレタン化合物、セルロース誘導体および過酸化水素などを挙げることができる。これらの中でも、取り扱いの容易さおよびＯＨラジカル発生効率の観点から、硝酸イオン、亜硝酸イオンおよび過酸化水素から選ばれる少なくとも１種であることが好ましく、硝酸イオンおよび／または亜硝酸イオンであるか過酸化水素であることが最も好ましい。
【００５７】
ＯＨラジカル源水溶液における非イオン性物質またはイオンの濃度が高いほど、ＯＨラジカルは生成し易いが、高すぎると折角生成したＯＨラジカル同士が反応して消滅するため効率的ではなく、また溶質が析出するという問題も発生する。
このような理由からＯＨラジカル源水溶液中におけるこれら非イオン性物質またはイオンの濃度は、０．０１ｍＭ〜１０Ｍであることが好ましく、０．０５ｍＭ〜５Ｍであることが特に好ましく、０．１ｍＭ〜１Ｍであることが最も好ましい。ここでＭは（ｍｏｌ／リットル）を表す。
【００５８】
なお、水の共存下における紫外線照射によって分解してＯＨラジカルを生成するイオンを水溶液中に存在させるためには、これらイオンの酸または塩を水に溶解させればよい。
溶解して硝酸イオンを与える物質としては、硝酸、および硝酸ナトリウム、硝酸カリウム、硝酸カルシウム、硝酸リチウムなどの硝酸塩が好適に使用でき、溶解して亜硝酸イオンを与える物質としては、亜硝酸、および亜硝酸ナトリウム、亜硝酸カリウムなどの亜硝酸塩が好適に使用できる。
【００５９】
硝酸イオンは２４０ｎｍ以下の波長を有する紫外線照射によって直接ＯＨラジカルを生成する反応が起こることが知られている（Bull. Korean Chem. Soc. 2011, Vol. 32, No. 8, 3039-3044、および、Techneau, D2.4.1.1, 1-27 参照）。
また、一旦、亜硝酸イオンに還元されてからＯＨラジカルを生成し、そのときの還元反応がエチレンジアミン四酢酸（ＥＤＴＡ）、グリシン、グリコール酸などの共存に依って促進されることも知られている（Journal of Japan Society on Water Environment Vol.30, No.11, pp661-664, (2007)）。
実際に紫外線を照射したときには、おそらく両方の反応が起こるものと考えられる。
【００６０】
一方、亜硝酸イオンは３００〜４００ｎｍに吸収を有し、結合エネルギー的には、硝酸イオンから直接ＯＨラジカルを生成するより亜硝酸イオンからＯＨラジカルを生成する方が有利であり、さらにエネルギーの高い（短波長の）紫外線を照射することにより、その光反応の量子効率はさらに高くなると考えられる。
【００６１】
したがって硝酸イオンを用いる場合には、エチレンジアミン四酢酸（ＥＤＴＡ）、グリシン、グリコール酸などの物質を、硝酸イオンの量（モルまたはグラムイオン）に対して０．１〜１．２倍程度の量（モルまたはグラム分子）で共存させることが好ましい。
【００６２】
また、過酸化水素は２９０ｎｍ以下の波長を吸収しＯＨラジカルを発生する。そして、過酸化水素と水溶性有機物や炭酸塩などの無機酸の塩とが共存する場合には、連鎖反応により発生したＯＨラジカルの見かけ上の寿命が長くなることが知られている。
したがって洗浄液が過酸化水素含む場合には、さらにイソプロパのールなどの低級（炭素数１〜５の）アルコールからなる水溶性有機物および／または炭酸塩を１〜１００質量ｐｐｍ含むようにすることが好ましい。
【００６３】
水溶性有機物を添加した場合における連鎖反応によるＯＨラジカルの長寿命化は、硝酸イオンおよび／または亜硝酸イオンを用いた場合にも期待することができるので、硝酸イオンおよび／または亜硝酸イオンを用いた洗浄液についても、イソプロパノールなどの低級（炭素数１〜５の）アルコールからなる水溶性有機物を１〜１００質量ｐｐｍ含むようにすることが好ましい。
【００６４】
このようなＯＨラジカル源水溶液は、水の共存下における紫外線照射によって分解してＯＨラジカルを生成する非イオン性物質または水の共存下における紫外線の照射によって分解してＯＨラジカルを生成するイオンを与える物質を所定量水に溶解させることにより調製することができる。
【００６５】
このとき、濃度の高い原液を準備し、これを適宜水で希釈して調製してもよい。また、これらＯＨラジカル源水溶液および原液は、それ自体を商品として流通させることもできる。その場合には、紫外線遮蔽性の容器内に密閉し、冷暗所で保存することが好ましい。容器の形態は特に限定されず、ボトルやパウチなどが採用できる。
【００６６】
本発明のトイレ装置１００Ｂは、上記したＯＨラジカル源水溶液を貯留するためのタンク（図示せず）を有することが好ましい。そしてこのタンクに原液と水とを供給して、ＯＨラジカル源水溶液を調製し、貯留することがより好ましい。
さらに、タンク内の水位を検知し、水位が下がって所定の値となった場合に、自動的に原液および水を補給して、ＯＨラジカル源水溶液の量が所定量を下回らないようにすることが好ましい。
【００６７】
ＯＨラジカル源水溶液供給手段５０は、通常、ポンプと配管と噴霧ノズル５１とを有し、上記タンクに蓄えられたＯＨラジカル源水溶液をポンプにより圧送して噴霧ノズル５１からボウル部２０の内表面に供給する。
ＯＨラジカル源水溶液供給手段５０は、ＯＨラジカル源水溶液をボウル部２０の内表面に供給して付着させる機能を有するものであれば特に限定されず、例えば特許文献１に開示された噴霧手段と同様の手段が適用できる。
【００６８】
ＯＨラジカル源水溶液をボウル部２０の内表面に供給して付着させるに際し、ＯＨラジカル源水溶液がボウル部２０の内表面に濡れ広がり易くするために、ボウル部２０の内表面に親水化処理を施しておくことが好ましい。
ボウル部２０の内表面に親水性を付与するためには、例えば特許文献４（特開２０１６−２０４６１号公報）または特許文献５（特開２０１６−２０４６２号公報）に記載されているような親水化処理方法を施せばよい。
【００６９】
すなわち下記１．または２．の親水化処理方法を施せばよい。
【００７０】
１．ボウル部２０の表面層である無機化合物を含有する表面層を、ラジカル反応性官能基を含有するシランカップリング剤によって処理し、シランカップリング剤と結合した表面層に、
（ａ）「ラジカル反応性官能基とスルホン酸基のアルカリ金属塩を含有し、分子鎖の端部以外の親水部および分岐鎖を含有しない親水性化合物と、ラジカル重合開始剤と、極性を有する相溶化剤を含有する親水処理塗料組成物」または、
（ｂ）「ラジカル反応性官能基とスルホン酸基を含有し、分子鎖の端部以外の親水部および分岐鎖を含有しない化合物と、ラジカル重合開始剤と、極性を有する相溶化剤を含有する親水処理塗料組成物」
を塗布し、反応させる親水化処理方法。
【００７１】
２．ボウル部２０の表面層である無機化合物を含有する表面層を、イソシアネート基、エポキシ基、アミノ基、メルカプト基から選ばれる少なくとも一つの反応性官能基を含有するシランカップリング剤によって処理し、シランカップリング剤と結合した表面層に、
(ｃ)「アミノ基、水酸基、メルカプト基から選ばれる少なくとも一つであって、シランカップリング剤の反応性官能基と反応する官能基と、スルホン酸またはスルホン酸基のアルカリ金属塩を含有し、分子鎖の端部以外に親水部を含有しない親水性化合物と、極性を有する相溶化剤を含有する親水処理塗料組成物」または、
（ｄ）「アミノ基、水酸基、メルカプト基から選ばれる少なくとも一つであって、シランカップリング剤の反応性官能基と反応する官能基とスルホン酸基を含有し、分子鎖の端部以外に親水部を含有しない親水性化合物と、極性を有する相溶化剤を含有する親水処理塗料組成物」
を塗布し、反応させる親水化処理方法。
【００７２】
このような親水化処理方法で親水化されたボウル部２０の内表面は、紫外線の照射の有無にかかわらず、常にボウル部２０の内表面を親水化された状態に保つことができるので、どのようなタイミングでＯＨラジカル源水溶液の供給を行っても、ボウル部２０の内表面にＯＨラジカル源水溶液を濡れ広げさせることができる。
【００７３】
また、ＯＨラジカル源水溶液は、一時にボウル部２０の内表面の全面にわたって供給および付着させる必要はなく、紫外線の照射を行う前に、紫外線の照射が行われる領域のボウル部２０の内表面に供給・付着されていればよい。
【００７４】
このように、波長４００ｎｍ以下という短波長の紫外線を、ＯＨラジカル源水溶液が供給されて付着されたボウル部２０の内表面に照射することにより、ＯＨラジカルの発生効率（量子効率）を高くすることができる。
（https://dspace.wul.waseda.ac.jp/dspace/handle/2065/5349、中川創太「促進酸化法による排水中の微量有機物質分解プロセス」p10，Table 1.5参照）
【００７５】
また、２００ｎｍ未満の波長の紫外線を用いないようにすれば、雰囲気中の酸素などの物質に吸収されて強度低下を起こす可能性が低く、高い強度を保ったまま紫外線をＯＨラジカル源水溶液が付着したボウル部２０の内表面に照射することができる。
さらに、水銀ランプやエキシマランプを用いて、２００ｎｍ未満の波長の紫外線を含む紫外線の出射を行うと有害なオゾンを発生する場合があるが、２００ｎｍ未満の波長の紫外線を用いないようにすれば、有害なオゾンの発生を防止することができる。
【００７６】
一方、トイレ装置１００Ｂのトイレ装置本体１０では、特許文献１に開示されているような従来のトイレ装置と同様に、制御部、着座センサーや便蓋４０の開閉状態を検知する検知センサーなどの各種センサー、および便蓋４０の開閉駆動装置（何れも図示せず）を有し、制御部を介して便蓋４０の開閉駆動装置、紫外線光源６０およびＯＨラジカル源水溶液供給手段５０の制御が行われる。
なお、特許文献１に開示されているような従来のトイレ装置では、機能水または殺菌水の噴霧は、便蓋が閉じた状態で、紫外線の照射中に、あるいは紫外線の照射が終了してから所定時間内に行われるように制御されている。
【００７７】
しかしながら、本発明のトイレ装置１００Ｂでは、ＯＨラジカル源水溶液がボウル部２０の内表面に供給されて付着した状態で、紫外線の照射が行われるように制御する必要がある。このとき、紫外線の照射は、安全のため便蓋４０が閉じた状態で行われるように制御することが好ましい。
ＯＨラジカル源水溶液のボウル部２０の内表面への供給についても、便蓋４０が閉じた状態で行うことが好ましいが、こちらについては便蓋４０が開の状態で行っても構わないものである。
【００７８】
本発明のトイレ装置１００Ｂの便器３０，ボウル部２０および便蓋４０は、特許文献１に開示されているような従来のトイレ装置と同様であるが、ボウル部２０の内表面については、特許文献１に開示されているような光触媒で形成されている必要はない。その替わりにボウル部２０の内表面に親水化処理を施し、親水性を有するようにすることが好ましい。
【００７９】
トイレ装置１００Ｂでは、通常、ＬＥＤモジュール７０は、便蓋４０の裏面の「非使用時保持位置」に保持されている。なお、便蓋４０の裏面に収納部が設けられている場合には、この収納部内が「非使用時保持位置」となる。
そして便蓋４０が閉じ、ＯＨラジカル源水溶液供給手段５０によってＯＨラジカル源水溶液がボウル部２０の内表面に供給されて付着される。
すなわち、ＯＨラジカル源水溶液供給手段５０を介して、水の共存下における紫外線照射によって分解してＯＨラジカルを生成する非イオン性物質またはイオンが溶解した水溶液からなるＯＨラジカル源水溶液を、ボウル部２０の内表面に供給して付着させる工程が行われる。
【００８０】
その後、移動手段８０によって第一の移動として、「非使用時保持位置」に保持された紫外線光源６０（ＵＶ−ＬＥＤ７１、７１’）を、その紫外線出射面７３，７３’がボウル部２０の予め定められた位置の内表面に対向するように配置する。
すなわち、移動手段８０を介して、ボウル部２０の内表面に対して紫外線光源６０を接近させる工程が行われる。
【００８１】
その後、紫外線光源６０（ＵＶ−ＬＥＤ７１、７１’）を点灯して紫外線の照射を開始する。紫外線の照射に際して、ＬＥＤモジュール７０は、移動手段８０によって、第二の移動として、紫外線光源６０を、第一の移動によって配置される位置（待機位置）から、紫外線出射面７３，７３’がボウル部２０の内表面に対して対向した状態を維持しながら、ボウル部２０の周縁に沿って、ガイドレール８１を介して円形状にスライド移動させながら１周または複数周周回させられ、「待機位置」に戻される。
すなわち、ボウル部２０の内表面に接近させた紫外線光源６０を、ボウル部２０の内表面に沿って移動させながら紫外線をボウル部２０の内表面に照射する工程が行われる。
その後、再び移動手段８０によって、第三の移動として、紫外線光源６０を「待機位置」から「非使用時保持位置」に戻される。
【００８２】
上記した移動手段８０による紫外線光源６０（ＬＥＤモジュール７０）の移動について、図２を用いて詳しく説明する。
図２に示された紫外線光源６０（ＬＥＤモジュール７０）は、第一の移動（図中＜１＞）または第三の移動（図中＜３＞）の途中における状態を示している。また、図中＜２＞は、第二の移動を表している。
【００８３】
第一の移動では「非使用時保持位置」から円形状のガイドレール８１との連結部を回動軸として、紫外線光源６０（ＬＥＤモジュール７０）が回動するようにして便蓋４０の裏面４１から離れて行き、紫外線光源６０（ＬＥＤモジュール７０）の紫外線出射面７３，７３’が、ボウル部２０の予め定められた位置の内表面に対向し、且つボウル部２０の内表面の傾斜２１に沿うような位置である「待機位置」に移動する。
このとき、連結部材７５を回動軸として紫外線光源６０（ＬＥＤモジュール７０）の筺体ユニット７４’が閉じる方向に回動し、最終的に図１に示されるような「く」字状の状態となる。
【００８４】
そして、第二の移動では、紫外線光源６０（ＬＥＤモジュール７０）がこの状態を保ったまま、円形状のガイドレール８１を介して、ボウル部２０の周縁に沿って１周または複数周周回して「待機位置」に戻り、紫外線の照射が停止される。
その後、第三の移動で、第一の移動の逆をたどって、再び「非使用時保持位置」に戻される。
【００８５】
このとき、ＯＨラジカル源水溶液のボウル部２０の内表面への供給および付着、具体的には、ＯＨラジカル源水溶液供給手段５０の噴霧ノズル５１からのＯＨラジカル源水溶液の噴霧は、便蓋４０が閉じた状態で、第一の移動が開始される前に行われる。
なお、ＬＥＤモジュール７０は、上記したように筺体ユニット７４と筺体ユニット７４’とが連結部材７５で連結されて、真っ直ぐな状態から「く」字状の状態に駆動するよう構成されたもの以外にも、単に筺体ユニット７４だけから成る構成でも構わないものである。
どのように構成するかについては、ボウル部２０の形状やサイズに合わせて適宜決定すれば良いものである。
【００８６】
次に図３に示したトイレ装置１００Ｃについて説明する。
図３に示したトイレ装置１００Ｃは、図１および図２に示したトイレ装置１００Ｂにおける円形状のガイドレール８１に替えて、ボウル部２０の開口部の形状と相似する楕円形状のガイドレール８１ａを用いている。
【００８７】
さらに、図１および図２に示したトイレ装置１００Ｂにおける紫外線光源６０（ＬＥＤモジュール７０）の筺体ユニット７４，７４’よりも、やや長めの筺体ユニット７４ａ，７４ａ’を有する紫外線光源６０（ＬＥＤモジュール７０ａ）を用いている。図中、符号２１’はボウル部２０の内表面における、前部（図３では左側）の傾斜、符号７５ａは連結部材である。
【００８８】
さらに第二の移動において、ボウル部２０の内表面と、紫外線光源６０（ＬＥＤモジュール７０ａ）の紫外線出射面との距離を、可及的に一定に保つようにもしている。
その他は、図１および図２に示したトイレ装置１００Ｂと同様であり、ＯＨラジカル源水溶液の噴霧についても、ＯＨラジカル源水溶液供給手段５０の噴霧ノズル５１から同様にして行われる。
【００８９】
ＯＨラジカル源水溶液供給手段５０の噴霧ノズル５１からの噴霧により、ＯＨラジカル源水溶液のボウル部２０の内表面への供給および付着を行った後に移動手段８０が作動し、前述したトイレ装置１００Ｂと同様な第一の移動を行う。
このとき、図３に示したＬＥＤモジュール７０ａの「待機位置」９０において、筺体ユニット７４ａ’についてはボウル部２０の内表面に対向せず、ボウル部２０内に溜められた水の水面に対向するようになっている。
【００９０】
その後の第二の移動では、ＬＥＤモジュール７０ａは「待機位置」９０から「１８０°周回した時の位置」９１（待機位置９０と真反対側の位置である）に向かうまでは、便蓋４０の裏面４１と筺体ユニット７４ａとのなす角度を徐々に狭めながら、且つ筺体ユニット７４ａと筺体ユニット７４ａ’とのなす角度を、１８０°を越えないように徐々に広げながら移動する。
そしてさらに「１８０°周回した時の位置９１」から「待機位置９０」に進むときは、その逆に便蓋４０の裏面４１と筺体ユニット７４ａとのなす角度を徐々に広げながら、且つ筺体ユニット７４ａと筺体ユニット７４ａ’とのなす角度を徐々に狭めながら移動する。
このように移動すれば、第二の移動においてボウル部２０の内表面と、紫外線光源６０（ＬＥＤモジュール７０ａ）の紫外線出射面との距離を、可及的に一定に保つことができる。
【００９１】
したがって、ボウル部２０の内表面と紫外線光源６０（ＬＥＤモジュール７０ａ）の紫外線出射面との距離が広がることによる光の拡散を防止して、紫外線強度を落とすことなくボウル部２０の内表面に紫外線を照射することができる。
なおこの時、ボウル部２０の溜水部に溜められた水の水面に向けても紫外線が照射されることになる。
この水面近傍のボウル部２０の内表面は、最も汚れやすい部分でもあり、このような部分に紫外線が確実に照射されることにより、トイレ装置１００Ｃの洗浄効果および防汚効果をより一層高めることができる。
【００９２】
図１および図２に示したトイレ装置１００Ｂと図３に示したトイレ装置１００Ｃでは、ＯＨラジカル源水溶液は、ＯＨラジカル源水溶液供給手段５０の噴霧ノズル５１からの噴霧により、一時にボウル部２０の内表面の全面にわたって供給および付着されている。
しかしながら図４に示したような紫外線光源６０（ＬＥＤモジュール７０ｂ）を用い、噴霧されるＯＨラジカル源水溶液を走査するようにしてもよい。
【００９３】
図４に示した紫外線光源６０（ＬＥＤモジュール７０ｂ）は、夫々、略長方形の紫外線出射面７３ｂ，７３ｂ’を有し、内部に夫々複数のＵＶ−ＬＥＤ７１ｂ，７１ｂ’を収容する２つ筺体ユニット７４ｂ，７４ｂ’が、連結部材７５ｂで連結された構造を有している。
そして紫外線出射面７３ｂ，７３ｂ’の、第二の移動における進行方向前方側の隣に、噴霧ノズル５１ｂ，５１ｂ’が配置されている。すなわち、紫外線光源６０（ＬＥＤモジュール７０ａ）と、ＯＨラジカル源水溶液供給手段５０とが、一体化された構成である。
なお、ＯＨラジカル源水溶液に替えて、特許文献１に開示されているような次亜塩素酸水などの機能水を、噴霧ノズル５１ｂ，５１ｂ’から噴霧させることも勿論可能である。
【００９４】
このような紫外線光源６０（ＬＥＤモジュール７０ｂ）を用いれば、例えば紫外線の照射の直前に、ＯＨラジカル源水溶液の噴霧がなされるようにしたり、まずボウル部２０の内表面のほぼ全面にＯＨラジカル源水溶液を供給および付着させておき、それから再度ボウル部２０の内表面のほぼ全面に紫外線を照射することができる。
【００９５】
なお図４では、噴霧ノズル５１ｂ，５１ｂ’を紫外線光源６０（ＬＥＤモジュール７０ｂ）と一体化した例を示したが、他にも噴霧ノズル５１ｂ，５１ｂを棒状の基体に並べ、移動手段８０により紫外線光源６０（ＬＥＤモジュール７０ｂ）と同様な動きをさせることもできる。
【００９６】
本発明のトイレ装置では、紫外線光源６０として図１〜図４に示したＬＥＤモジュール７０，７０ａ，７０ｂの他、図５に示した棒状光源モジュール２００を使用することもできる。
図５に示した棒状光源モジュール２００は、特許文献６（特許第５５９１３０５号公報）に開示されたものと基本的に同様の構造であり、多数のＵＶ−ＬＥＤから出射された紫外線を集光することにより、高強度の紫外線を帯状の平行光として出射することができるものである。
【００９７】
このような棒状光源モジュール２００は、
「長楕円反射ミラーからなる出射側反射ミラーを内部に有する出射側筺体２１１と、出射側反射ミラーと同形状の長楕円反射ミラーからなる集光側反射ミラーを内部に有し、集光側反射ミラーを構成する長楕円反射ミラーの焦点軸の近傍に紫外線出射用開口部を設けてなる集光側筺体２１２と、を有する本体２１０と、
円筒状の基体２２１の側面上に、複数の紫外線発光素子（図示せず）を、各紫外線発光素子の光軸が円筒状の基体２２１の中心軸を通るように配置して、紫外線がこの中心軸に対して放射状に出射されるようにした棒状光源２２０と、
紫外線出射用開口部に配置されたコリメート光学系２３０と、を有し、
棒状光源２２０は、
出射側反射ミラーの焦点軸２１３上に配置されており、出射側筺体２１１と集光側筺体２１２とは、出射側反射ミラーの集光軸２１４が集光側反射ミラーの焦点軸２１５と一致するように対向させて接続されており、集光された紫外線をコリメート光学系によって、略平行な光束に変換して出射するもの」である。
【００９８】
さらに棒状光源２２０は、
「円筒状の基体２２１の側面上に、複数の紫外線発光素子（図示せず）を、各紫外線発光素子の光軸が円筒状の基体２２１の中心軸を通るように配置して、紫外線が中心軸に対して放射状に出射されるようにした紫外線発光素子配置基体と、
紫外線透過性材料から形成されるカバー２２２と、を有し、
カバー２２２は、
紫外線発光素子配置基体を覆うとともに、内部に不活性ガスまたは乾燥空気を封入するようにして紫外線発光素子配置基体に気密に装着されており、円筒状の基体２２１の内部に冷却用媒体用流路２２３を形成して冷却用媒体用流路２２３に冷却用媒体２２４を流通させるもの」である。
【００９９】
図６には、図５に示した棒状光源モジュール２００を紫外線光源６０として用いたトイレ装置１００Ｄの概略図を示し、図６中の[Ｉ]はＡ−Ａ矢視図、[II]はＢ−Ｂ矢視図を表している。
図６に示したトイレ装置１００Ｄでは、便蓋４０の裏面４１に棒状光源モジュール２００を収納するための収納部４２を有している。
【０１００】
そして、この収納部４２の内部が「非使用時保持位置」となっており、棒状光源モジュール２００は、便蓋４０が開の状態において、この収納部４２に収納されている。トイレ装置１００Ｄをコンパクトにし、便蓋４０の裏面４１の凸部高さをなるべく低くして美観を損ねないようにするために、棒状光源モジュール２００は、その紫外線の出射面となるコリメート光学系２３０が横（便蓋４０の裏面４１に対して垂直方向）を向くように収納部４２の内部に収納されるようになっている。
【０１０１】
そして、移動手段８０による第一の移動では、棒状光源モジュール２００は、ガイドレール８１ｂとの連結部を回動中心として回動するようにして、便蓋４０の裏面４１から離れて行き、「待機位置」に移動する。これと同時に、アーム８２を回動中心としてコリメート光学系２３０がボウル部２０の内表面に対向するように９０°回動する。
【０１０２】
そして第二の移動では、「待機位置」から楕円形状のガイドレール８１ｂに誘導され、棒状光源モジュール２００はボウル部２０の周縁に沿って１周または複数周周回して待機位置に戻る。
その後、第三の移動で、第一の移動の逆をたどって「非使用時保持位置」に戻る。
【０１０３】
以上、本発明のトイレ装置１００Ｂ，１００Ｃ，１００Ｄについて図面を用いて説明したが、本発明のトイレ装置はこれらに限定されるものではないものである。
【０１０４】
例えば、ＯＨラジカル源水溶液に替えて、特許文献１に記載されるような機能水を噴霧しても良いし、これらを全く噴霧せず、紫外線の照射のみを行っても良い。
【０１０５】
また、ガイドレールの配設形状は、上記したような円形状や楕円形状に限らず、例えば螺旋形状，Ｕ字形状，コ字形状，矩形状などでも構わないものである。なお、周環状ではないＵ字形状やコ字形状の場合には、「待機位置」から移動して一方側の端部まで移動した後、再度「待機位置」まで戻ってから今度は他方側の端部まで移動した後、最終的に「待機位置」に戻るようにすれば良い。また、紫外線光源６０をボウル部２０の内表面の方線方向に上下させる運動を組み合わせて、螺旋軌道を描くように移動させてもよい。
【０１０６】
さらに紫外線光源６０として、ＵＶ−ＬＥＤと、紫外線出射部となる導光板とを、光ファイバーなどを用いて光学的に連結したものを用い、ＵＶ−ＬＥＤをトイレ装置本体１０に設けられた収納部（図示せず）内や、便蓋４０の裏面４１などのボウル部２０から離れた場所に設置し、紫外線出射部のみを移動手段８０で移動させるようにしてもよい。
【０１０７】
また、本発明のトイレ装置１００Ｂ，１００Ｃ，１００Ｄでは、便蓋４０の裏面にガイドレール８１が設けられているが、これについても特に限定されるものではなく、例えば図７に示したトイレ装置１００Ｅのように、ガイドレール８１ｃがボウル部２０のリム２２の裏面に設けられていても良いものである。なお、図７では説明の便宜上、便蓋４０を外した状態で図示している。
このように本発明のトイレ装置およびこのトイレ装置を用いておこなわれるトイレ装置の洗浄方法は、本発明の目的を逸脱しない範囲で種々の変更が可能なものである。
【符号の説明】
【０１０８】
１０    トイレ装置本体
２０    ボウル部
２１，２１’    傾斜
２２    リム
３０    便器
４０    便蓋
４１    裏面
４２    収納部
５０    ＯＨラジカル源水溶液供給手段
５１，５１ｂ，５１ｂ’  噴霧ノズル
６０    紫外線光源
７０，７０ａ，７０ｂ    発光ダイオードモジュール（ＬＥＤモジュール）
７１，７１’，７１ｂ，７１ｂ’  紫外線発光ダイオード（ＵＶ−ＬＥＤ）
７２，７２’    基板
７３，７３’，７３ｂ，７３ｂ’  紫外線出射面
７４，７４’，７４ａ，７４ａ’，７４ｂ，７４ｂ’        筺体ユニット
７５，７５ａ，７５ｂ    連結部材
８０    移動手段
８１，８１ａ，８１ｂ，８１ｃ    ガイドレール
８２    アーム
９０    待機位置
９１    １８０°周回時の位置
１００Ｂ，１００Ｃ，１００Ｄ，１００Ｅ  トイレ装置
２００  棒状光源モジュール
２１０  本体
２１１  出射側筺体
２１２  集光側筺体
２１３  出射側反射ミラーの焦点軸
２１４  出射側反射ミラーの集光軸
２１５  集光側反射ミラーの焦点軸
２２０  棒状光源
２２１  基体
２２２  カバー
２２３  冷却用媒体用流路
２２４  冷却用媒体
２３０  コリメート光学系
【図１】
2018009439.tif 000003
【図２】
2018009439.tif 000004
【図３】
2018009439.tif 000005
【図４】
2018009439.tif 000006
【図５】
2018009439.tif 000007
【図６】
2018009439.tif 000008
【図７】
2018009439.tif 000009
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
トイレ装置本体と、
前記トイレ装置本体に取り付けられ、ボウル部を有する便器と、
前記ボウル部の内表面に紫外線を照射する紫外線光源と、
を少なくとも有するトイレ装置であって、
前記トイレ装置は、
前記紫外線光源を前記ボウル部の内表面に対して接近あるいは離反させるとともに、前記紫外線光源を前記ボウル部の内表面に対して接近させた後に、前記紫外線光源と当該紫外線光源と対向する前記ボウル部の内表面との間の距離を可及的に一定に保つようにして、前記紫外線光源を前記ボウル部の内表面に沿って前記紫外線光源を移動させる移動手段を有することを特徴とするトイレ装置。
【請求項２】
前記紫外線光源は、２６０ｎｍの波長を有する紫外線を含む紫外線を、前記ボウル部の内表面に照射することを特徴とする請求項１に記載のトイレ装置。
【請求項３】
前記移動手段は、
ガイドレールを介して前記紫外線光源を移動させるよう構成されており、
前記ガイドレールは、前記便器に対して開閉可能に設けられた便蓋の裏面に設けられていることを特徴とする請求項１または２に記載のトイレ装置。
【請求項４】
前記紫外線光源が、前記便蓋の裏面に設けられた収納部内に収納されるよう構成されていることを特徴とする請求項３に記載のトイレ装置。
【請求項５】
前記便蓋の開閉状態を検知する検知センサーを備え、
前記便蓋が閉状態の際に、前記紫外線光源および移動手段が起動するよう構成されていることを特徴とする請求項３または４に記載のトイレ装置。
【請求項６】
前記移動手段は、
ガイドレールを介して前記紫外線光源を移動させるよう構成されており、
前記ガイドレールは、前記ボウル部のリムの裏面に設けられていることを特徴とする請求項１または２に記載のトイレ装置。
【請求項７】
前記紫外線光源が、前記トイレ装置本体に設けられた収納部内に収納されるよう構成されていることを特徴とする請求項６に記載のトイレ装置。
【請求項８】
前記ガイドレールの配設形状が、円形状、楕円形状、螺旋形状、Ｕ字形状、コ字形状、矩形状のいずれかであることを特徴とする請求項３〜７のいずれか一項に記載のトイレ装置。
【請求項９】
前記移動手段を介して前記ボウル部の内表面に対して前記紫外線光源を接近させた際、
前記ボウル部の内表面と前記紫外線光源との距離が、０．５〜１５．０ｃｍの範囲内であることを特徴とする請求項１〜８のいずれか一項に記載のトイレ装置。
【請求項１０】
前記紫外線光源が、
略長方形の紫外線出射面を有し、複数の紫外線発光ダイオードを有する発光ダイオードモジュールであることを特徴とする請求項１〜９のいずれか一項に記載のトイレ装置。
【請求項１１】
トイレ装置本体と、前記トイレ装置本体に取り付けられ、ボウル部を有する便器と、前記ボウル部の内表面に紫外線を照射する紫外線光源と、前記ボウル部の内表面に対して前記紫外線光源を接近あるいは離反させるとともに、前記ボウル部の内表面に沿って前記紫外線光源を移動させる移動手段と、を少なくとも有するトイレ装置の洗浄方法であって、
前記移動手段を介して、前記ボウル部の内表面に対して前記紫外線光源を接近させる工程と、
前記接近させた紫外線光源を、前記紫外線光源と当該紫外線光源と対向する前記ボウル部の内表面との間の距離を可及的に一定に保つようにして、前記ボウル部の内表面に沿って移動させながら紫外線を前記ボウル部の内表面に照射する工程と、
を少なくとも有することを特徴とするトイレ装置の洗浄方法。
【手続補正２】
【補正対象書類名】明細書
【補正対象項目名】００１１
【補正方法】変更
【補正の内容】
【００１１】
すなわち、本発明のトイレ装置は、
トイレ装置本体と、
前記トイレ装置本体に取り付けられ、ボウル部を有する便器と、
前記ボウル部の内表面に紫外線を照射する紫外線光源と、
を少なくとも有するトイレ装置であって、
前記トイレ装置は、
前記紫外線光源を前記ボウル部の内表面に対して接近あるいは離反させるとともに、前記紫外線光源を前記ボウル部の内表面に対して接近させた後に、前記紫外線光源と当該紫外線光源と対向する前記ボウル部の内表面との間の距離を可及的に一定に保つようにして、前記紫外線光源を前記ボウル部の内表面に沿って前記紫外線光源を移動させる移動手段を有することを特徴とする。
このような移動手段を有していれば、紫外線光源とボウル部の内表面との間の距離の増大に伴う拡散による紫外線強度の低下を防止することができ、確実にボウル部の内表面の全面に紫外線を照射することができ、高い洗浄効果を得ることができる。
【手続補正３】
【補正対象書類名】明細書
【補正対象項目名】００１２
【補正方法】変更
【補正の内容】
【００１２】
また、本発明のトイレ装置は、
前記紫外線光源は、２６０ｎｍの波長を有する紫外線を含む紫外線を、前記ボウル部の内表面に照射することを特徴とする。
また、本発明のトイレ装置は、
前記移動手段は、
ガイドレールを介して前記紫外線光源を移動させるよう構成されており、
前記ガイドレールは、前記便器に対して開閉可能に設けられた便蓋の裏面に設けられていることを特徴とする。
このようにガイドレールを介して紫外線光源が移動できるようになっていれば、確実にボウル部の内表面の全面に紫外線を照射することができる。
【手続補正４】
【補正対象書類名】明細書
【補正対象項目名】００１３
【補正方法】変更
【補正の内容】
【００１３】
さらにガイドレールが便蓋の裏面に設けられていれば、ボウル部とは別体として紫外線光源および移動手段を構成することができ、メンテナンス性が良好である。
【手続補正５】
【補正対象書類名】明細書
【補正対象項目名】００１６
【補正方法】変更
【補正の内容】
【００１６】
また、本発明のトイレ装置は、
前記移動手段は、
ガイドレールを介して前記紫外線光源を移動させるよう構成されており、
前記ガイドレールは、前記ボウル部のリムの裏面に設けられていることを特徴とする。
このようにボウル部のリムの裏面に設けられていれば、例えば温水洗浄便座の交換が必要となった際にも、便蓋毎交換することができる。
さらに、ボウル部のリムの裏面は、通常視認し難いため、トイレ装置の美観を損ねることがなく、美しい外観を保つことができる。
【手続補正６】
【補正対象書類名】明細書
【補正対象項目名】００２７
【補正方法】変更
【補正の内容】
【００２７】
また、本発明のトイレ装置の洗浄方法は、
トイレ装置本体と、前記トイレ装置本体に取り付けられ、ボウル部を有する便器と、前記ボウル部の内表面に紫外線を照射する紫外線光源と、前記ボウル部の内表面に対して前記紫外線光源を接近あるいは離反させるとともに、前記ボウル部の内表面に沿って前記紫外線光源を移動させる移動手段と、を少なくとも有するトイレ装置の洗浄方法であって、
前記移動手段を介して、前記ボウル部の内表面に対して前記紫外線光源を接近させる工程と、
前記接近させた紫外線光源を、前記紫外線光源と当該紫外線光源と対向する前記ボウル部の内表面との間の距離を可及的に一定に保つようにして、前記ボウル部の内表面に沿って移動させながら紫外線を前記ボウル部の内表面に照射する工程と、
を少なくとも有することを特徴とする。
このような工程を経たトイレ装置の洗浄方法であれば、ボウル部の内表面の全面に対してどの位置においても、略同程度の距離から紫外線を照射することができ、安全且つ確実にボウル部の内表面を洗浄することができる。
【手続補正７】
【補正対象書類名】明細書
【補正対象項目名】００６２
【補正方法】変更
【補正の内容】
【００６２】
また、過酸化水素は２９０ｎｍ以下の波長を吸収しＯＨラジカルを発生する。そして、過酸化水素と水溶性有機物や炭酸塩などの無機酸の塩とが共存する場合には、連鎖反応により発生したＯＨラジカルの見かけ上の寿命が長くなることが知られている。
したがって洗浄液が過酸化水素を含む場合には、さらにイソプロパノールなどの低級（炭素数１〜５の）アルコールからなる水溶性有機物および／または炭酸塩を１〜１００質量ｐｐｍ含むようにすることが好ましい。